(57)【特許請求の範囲】
【請求項１】
ランドおよびグルーブの少なくとも一方を記録用トラックとし、この記録用トラックのアドレス情報に応じたアドレス領域が、上記ランドとグルーブとの境界線のうち隣接する一方の境界線上に形成された光ディスクから、上記アドレス情報を含む信号に基づいてアドレス信号を再生する際に、
上記アドレス情報を含む信号を、上記光ディスクの位相情報を含む基準信号から所定量の位相をずらして検波することを特徴とする信号再生方法。
【請求項２】
上記アドレス領域を含むランドあるいはグルーブからの反射光を、光ビームの進行方向に平行、且つ該光ビームの進行方向に直交する方向に複数の光束に分割し、これら光束のうち、光ビームのセンターに対して左右両側にある２つの光束から得られる信号に基づいて、上記アドレス情報を含む信号を検波することを特徴とする請求項１記載の信号再生方法。
【請求項３】
上記アドレス情報を含む信号の検波に使用する２つの光束の主要部が、上記光ビームの進行方向に対して該光ビームの中心よりも後方にある場合には、上記アドレス情報を含む信号を、上記基準信号よりも位相を進めて検波することを特徴とする請求項２記載の信号再生方法。
【請求項４】
上記アドレス情報を含む信号の検波に使用する２つの光束の主要部が、上記光ビームの進行方向に対して該光ビームの中心よりも前方にある場合には、上記アドレス情報を含む信号を、上記基準信号よりも位相を遅らせて検波することを特徴とする請求項２記載の信号再生方法。
【請求項５】
上記アドレス領域は、グルーブの一方の側壁のみを蛇行して形成されていることを特徴とする請求項１ないし４の何れかに記載の信号再生方法。
【請求項６】
上記アドレス領域は、グルーブとランドとの境界線のうち隣接する一方の境界線上に形成されたピットからなることを特徴とする請求項１ないし４の何れかに記載の信号再生方法。
【請求項７】
ランドおよびグルーブの少なくとも一方を記録用トラックとし、この記録用トラックのアドレス情報に応じたアドレス領域が、上記ランドとグルーブとの境界線のうち隣接する一方の境界線上に形成された光ディスクに光ビームを照射して反射光を受光して電気信号に変換する光ピックアップと、
上記光ピックアップからの電気信号に基づいて、アドレス情報を含む信号を再生すると共に、上記光ディスクの位相情報からなる基準信号に基づいてアドレスクロックを生成し、このアドレスクロックにより上記アドレス情報を含む信号をサンプリングしてアドレス信号を再生する信号処理回路とを備え、
上記信号処理回路は、上記アドレス情報を含む信号を、上記光ディスクの位相情報を含む基準信号から所定量の位相をずらしてサンプリングすることを特徴とする信号再生装置。
【請求項８】
請求項７に記載の信号再生装置を備え、記録用トラックの幅が異なる複数種類の光ディスクに対して情報の記録再生が可能なディスク記録再生装置であって、
上記光ディスクに記録されたアドレス情報を含む信号のサンプリングのタイミングを、光ディスクの種類に応じて変更することを特徴とするディスク記録再生装置。
【発明の詳細な説明】
【０００１】
【発明の属する技術分野】
本発明は、ホログラム方式の光ピックアップを用いて信号を再生する信号再生方法および信号再生装置ならびにディスク記録再生装置に関するものである。
【０００２】
【従来の技術】
従来より、光記録媒体の一種である光ディスクでは、表面にランドおよびグルーブを形成し、その何れか一方を記録用のトラックとして使用している。
【０００３】
また、近年、情報の記録密度を高めるために、ランドとグルーブの両方に情報を記録する方式（以下、ランド／グルーブ記録方式と称する）が提案されている。このようなランド／グルーブ記録方式では、通常、情報の記録領域（データエリア）を特定するためのアドレス情報が、ランドとグルーブとの境界線の延長上に記録されている。
【０００４】
上記アドレス情報を記録する方法として、例えば、本発明の説明図である図４に示すように、光ディスク１のグルーブ１１とランド１２との境界線１ｃ上にグルーブ１１の片側のみをウォーブリングした片側ウォーブルを形成することによりアドレス情報を記録する方法や、本発明の説明図である図５に示すように、光ディスク１のグルーブ１１とランド１２との境界線１ｃ上にピットを形成することによりアドレス情報を記録する方法がある。
【０００５】
また、上記光ディスクの情報を再生するために使用される光ピックアップとしては、耐環境性能に優れ、小型軽量化を実現するものとして、例えば本発明の説明図である図２に示すようなホログラム方式の光ピックアップがある。
【０００６】
上記ホログラム方式の光ピックアップを用いてアドレス情報を含む信号を再生する場合、光ディスクからの反射光の一部を取り出して、ホログラム素子により複数の光束に分割し、それぞれの光量の差からアドレス信号を検出するためのアドレス検出信号（アドレスクロック）を生成するようになっている。
【０００７】
【発明が解決しようとする課題】
ところで、光ディスクからの反射光は、上記ホログラム素子によって、光ビームの進行方向に平行な方向に分割し、且つ光ビームの進行方向に直交する方向に複数の光束に分割される。そして、上記アドレス検出信号は、複数の光束のうち、光ビームの進行方向に対して光ビームのセンターに対して左右両側にある２つの光束から得られる信号に基づいて生成される。
【０００８】
また、ランド／グルーブ記録方式の光ディスクでは、反射光量が記録用トラックのセンターに対して非対称となるように、ランドとグルーブとの境界線上にピットや片側ウォーブルを形成してアドレス情報を含む信号を記録しているので、光ディスクからの反射光量から得られるアドレスクロックの位相が、予め光ディスクに記録されている位相情報等からなる基準信号に対してずれる虞がある。
【０００９】
このように、アドレスクロックの位相が基準信号からずれた場合、正確なアドレス信号を再生することができず、この結果、光ディスクに対する情報の記録や再生を適切に行うことができないという問題が生じる。
【００１０】
本発明は、上記の問題点を解決するためになされたもので、その目的は、アドレスクロックの位相のずれを考慮して、予測される位相のずれの分だけアドレスクロックを基準信号からシフトさせることにより、正確なアドレス信号が得られるような信号再生方法および信号再生装置ならびにディスク記録再生装置を提供することにある。
【００１１】
【課題を解決するための手段】
本発明の信号再生方法は、上記の課題を解決するために、ランドおよびグルーブの少なくとも一方を記録用トラックとし、この記録用トラックのセンターに対して反射光量が非対称となるように、上記ランドとグルーブとの境界線上にアドレス情報に応じて形成されたアドレス領域を有する光ディスクから上記アドレス情報を含む信号からアドレス信号を再生する際に、上記アドレス情報を含む信号を、上記光ディスクの位相情報を含む基準信号から所定量の位相をずらして検波することを特徴としている。
【００１２】
これにより、アドレス情報を含む信号を正しいタイミングで検波できるようになるので、正しいアドレス信号を再生することができる。このように、正しいアドレス信号を再生することにより、光ディスクに対する情報の記録や再生を適切に行うことができる。
【００１３】
また、ランドとグルーブの両方を記録用トラックとした場合のように、高密度記録が行われている光ディスクにおいても、光ディスクの位相情報からなる基準信号に対して所定量の位相をずらしてアドレス情報を含む信号を検波することにより、正しいアドレス信号を得ることができる。
【００１４】
なお、上記の位相のずれは、光ビームの波長や、光ディスクに形成されたアドレス領域の形状が一定であれば、常に一定であるので、予め位相のずれを計算して求めることができる。
【００１５】
上記アドレス領域を含むランドあるいはグルーブからの反射光を、光ビームの進行方向に平行、且つ該光ビームの進行方向に直交する方向に複数の光束に分割し、これら光束のうち、光ビームのセンターに対して左右両側にある２つの光束から得られる信号に基づいて、上記アドレス情報を含む信号を検波してもよい。
【００１６】
例えば、アドレス情報を含む信号の検波に使用する２つの光束の主要部が、上記光ビームの進行方向に対して該光ビームの中心よりも後方にある場合には、上記アドレス情報を含む信号を、上記基準信号よりも位相を進めて検波すればよい。
【００１７】
また、アドレス情報を含む信号の検波に使用する２つの光束の主要部が、上記光ビームの進行方向に対して該光ビームの中心よりも前方にある場合には、上記アドレス情報を含む信号を、上記基準信号よりも位相を遅らせて検波すればよい。
【００１８】
また、上記アドレス領域は、グルーブの一方の側壁のみを蛇行して形成してもよい。
【００１９】
さらに、上記アドレス領域は、グルーブとランドとの境界線のうち隣接する一方の境界線上に形成されたピットであってもよい。
【００２０】
また、上記の信号処理方法を適用とした信号再生装置としては、以下のようなものがある。
【００２１】
例えば、上記信号再生装置は、ランドおよびグルーブの少なくとも一方を記録用トラックとし、この記録用トラックのセンターに対して反射光量が非対称となるように、上記ランドとグルーブとの境界線上にアドレス情報に応じて形成されたアドレス領域を有する光ディスクに光ビームを照射して反射光を受光して電気信号に変換する光ピックアップと、上記光ピックアップからの電気信号に基づいて、アドレス情報を含む信号を生成すると共に、上記光ディスクの位相情報からなる基準信号に基づいてアドレスクロックを生成し、このアドレスクロックにより上記アドレス情報を含む信号をサンプリングしてアドレス信号を再生する信号処理回路とを備え、上記信号処理回路は、上記アドレス情報を含む信号を、上記基準信号から所定量の位相をずらしてサンプリングすることを特徴としている。
【００２２】
上記構成の信号再生装置によれば、基準信号から所定量ずらした位相でアドレス情報を含む信号をサンプリングするようになっているので、正しいアドレス信号を再生することができる。これにより、情報の記録または再生を適切に行うことができる。
【００２３】
また、本発明の信号再生装置は、例えば、ＣＤ（compact disc）、ＤＶＤ（digital video disc）−ＲＯＭ等のように記録用トラック幅の異なる複数の光ディスクからの情報の記録再生を同一のディスク記録再生装置で行う場合にも適用可能である。
【００２４】
すなわち、本願発明の信号再生装置を備え、記録用トラックの幅が異なる複数種類の光ディスクが再生可能なディスク記録再生装置において、上記光ディスクに記録されたアドレス情報を含む信号のサンプリングのタイミングを、光ディスクの種類に応じて変更すればよい。
【００２５】
これにより、光ディスクの種類（ＣＤ、ＤＶＤ−ＲＯＭ等）が変更されても、各光ディスク毎に正確なアドレス信号を再生することができる。
【００２６】
【発明の実施の形態】
本発明の一実施の形態について説明すれば、以下の通りである。なお、本実施の形態では、アドレス信号を再生する信号再生方法および信号再生装置を、記録媒体として光ディスクを用いた光ディスク装置（ディスク記録再生装置）に適用したものである。
【００２７】
本実施の形態に係る光ディスク装置は、図２に示すように、記録媒体としての光ディスク１に光を照射して情報の記録または再生を行う光ピックアップ２を備えている。
【００２８】
上記光ピックアップ２は、図２に示すように、光源としての半導体レーザ２１、ホログラム素子２２、コリメータレンズ２３、対物レンズ２４、光の強度に応じた電流を発生させるフォトディテクタからなる受光素子２５、および受光素子２５で得られた電流を電圧に変換するための電流電圧変換回路２６から構成されている。
【００２９】
すなわち、上記光ピックアップ２では、半導体レーザ２１から出射した光束がホログラム素子２２を通過した後、コリメータレンズ２３により平行光束となり、対物レンズ２４により光ディスク１の情報の記録面に集光される。
【００３０】
一方、光ディスク１にて反射された光束は、再び対物レンズ２４に入射された後、コリメータレンズ２３を介してホログラム素子２２によって回折され、半導体レーザ２１ではなく受光素子２５に入射される。そして、上記受光素子２５では、入射された光の強度に応じた電流を生成し、この電流が電流電圧変換回路２６に入射され電圧信号に変換された後、後述する信号処理部３（図１）に出力される。
【００３１】
上記ホログラム素子２２は、光ディスク１からの反射光束を、図３に示すように、光ビーム進行方向Ｐに平行、且つ、光ビーム進行方向Ｐに直交する方向にそれぞれ分割して４つの光束にし、それぞれを独立して受光素子２５に入射させるようになっている。
【００３２】
上記受光素子２５は、図３に示すように、第１受光部２５ａ〜第４受光部２５ｄまでの４つの独立した受光部からなり、ホログラム素子２２によって４つに分割された光束をそれぞれ独立して入射できるようになっている。
【００３３】
ここでは、説明の便宜上、上記ホログラム素子２２によって分割される領域として、光ビーム進行方向Ｐに対して前方側の２つの分割領域を第１領域ｄ１、第２領域ｄ２とし、光ビーム進行方向Ｐに対して後方側の２つの分割領域を第３領域ｄ３、第４領域ｄ４としたとき、上記第１領域ｄ１に相当する光束は受光素子２５の第１受光部２５ａに入射され、上記第２領域ｄ２に相当する光束は受光素子２５の第２受光部２５ｂに入射され、上記第３領域ｄ３に相当する光束は受光素子２５の第３受光部２５ｃに入射され、上記第４領域ｄ４に相当する光束は受光素子２５の第４受光部２５ｄに入射されるようになっている。
【００３４】
また、上記光ディスク１は、図４に示すように、記録用トラックとして使用するグルーブ１１およびランド１２を有し、各グルーブ１１およびランド１２は、情報の記録領域であるデータエリア１ａとこのデータエリア１ａを特定するためのアドレス情報を記録したアドレス領域であるアドレスエリア１ｂとを含んでいる。
【００３５】
上記データエリア１ａでは、グルーブ１１とランド１２との両方に情報の記録を行うようになっており、記録密度を高めるようになっている。
【００３６】
また、上記アドレスエリア１ｂは、データエリア１ａを構成するグルーブ１１とランド１２との間の境界線１ｃの延長上に存在する側壁のうち一方だけをウォブリング（蛇行）させることによりアドレス情報を記録するようになっている。つまり、上記境界線１ｃを記録用トラックに対して一つ置きにウォブリングさせることになる。具体的には、図４に示すように、データエリア１ａから遠い側の境界線１ｃに第１アドレス１１ａを、近い側の境界線１ｃに第２アドレス１２ａを形成する。以下、このアドレス領域である第１アドレス１１ａと第２アドレス１２ａとを総称してアドレスウォブルと称する。
【００３７】
つまり、上記光ディスク１は、ランド１２およびグルーブ１１の両方を記録用トラックとし、この記録用トラックのセンターに対して反射光量が非対称となるように、アドレス領域としての第１アドレス１１ａおよび第２アドレス１２ａが形成されていることになる。
【００３８】
上記第１アドレス１１ａは、グルーブ１１上のデータエリア１ａを特定するために使用され、上記第２アドレス１２ａは、ランド１２上のデータエリア１ａを特定するために使用されるものとする。
【００３９】
また、グルーブ１１とランド１２との境界線１ｃ上にアドレス情報を記録する他の方法として、図５に示すように、アドレスエリア１ｂ内において、データエリア１ａから遠い境界線１ｃ上に第１ピット１１ｂ、データエリア１ａから近い側に第２ピット１２ｂを形成するようにしてもよい。以下、このアドレス領域である第１ピット１１ｂと第２ピット１２ｂとを総称してアドレスピットと称する。
【００４０】
上記光ディスク１のアドレスエリア１ｂに記録されたアドレス情報は、光ビームによって該光ディスク１上に形成される光スポットがアドレスエリア１ｂを通過する際に得られる光量、すなわち上述したホログラム素子２２により４分割された光束から得られる信号に基づいて再生される。
【００４１】
ここで、光ディスク１上のアドレスエリア１ｂを光スポットが通過する際に得られる電気信号と、該アドレスエリア１ｂの領域との関係を図６（ａ）（ｂ）〜図９（ａ）（ｂ）に示す。ここで、光ビームの波長は４００ｎｍ、光スポットＳの直径は０．４７５μｍとする。
【００４２】
なお、図６（ａ）〜図９（ａ）に示すグラフでは、横軸は光スポットＳが移動した距離を示し、縦軸は信号強度を示している。また、光スポットＳの第１領域ｄ１から得られる信号をＤ１、第２領域ｄ２から得られる信号をＤ２、第３領域ｄ３から得られる信号をＤ３、第４領域ｄ４から得られる信号をＤ４としたとき、
アドレス信号（total ）＝Ｄ１＋Ｄ２＋Ｄ３＋Ｄ４
タンジェンシャルプッシュプル（ｔａｎＰＰ）信号＝（Ｄ１＋Ｄ２）−（Ｄ３＋Ｄ４）
ラジアルプッシュプル（ｒａｄＰＰ）信号＝（Ｄ１＋Ｄ４）−（Ｄ２＋Ｄ３）
アドレスクロック＝Ｄ４−Ｄ３
としている。
【００４３】
図６（ａ）（ｂ）および図７（ａ）（ｂ）は、図４に示すように、グルーブ１１の一方の側壁のみをウォブリングさせたアドレスウォブルの場合に、光スポットＳが光ディスク１のアドレスエリア１ｂを通過する際に得られる上記光スポットＳの４つの領域からの信号を示すグラフである。
【００４４】
また、図６（ａ）（ｂ）は、光ディスク１のグルーブ１１上を光スポットＳが通過してアドレス情報を再生する場合を示し、図７（ａ）（ｂ）は、光ディスク１のランド１２上を光スポットＳが通過してアドレス情報を再生する場合を示している。
【００４５】
ここで、図６（ｂ）および図７（ｂ）に示すように、光ディスク１におけるグルーブ１１およびランド１２の幅は０．６μｍ、アドレスエリア１ｂにおけるウォーブル量は±０．１μｍ、ウォーブリング周期は１６．０μｍ、グルーブの深さは５０ｎｍとする。また、光スポットＳは、上述したように、半径が０．４７５μｍなので、直径が０．９５０μｍとなり、直径がグルーブ１１またはランド１２の最大幅（０．７μｍ）よりも大きくなっており、第１アドレス１１ａや第２アドレス１２ａを十分に照射できることになる。
【００４６】
なお、図６（ａ）と図７（ａ）とでは、ｒａｄＰＰとアドレスクロック（Ｄ４−Ｄ３）の極性が異なるだけであり、total 信号は同じ極性を示す。
【００４７】
また、図８（ａ）（ｂ）および図９（ａ）（ｂ）は、図５に示すように、グルーブ１１とランド１２との境界線１ｃ上にアドレスピット（第１ピット１１ｂ、第２ピット１２ｂ）が形成された場合に、光スポットＳが光ディスク１のアドレスエリア１ｂを通過する際に得られる上記光スポットＳの４つの領域からの信号を示すグラフである。
【００４８】
図８（ａ）（ｂ）は、光ディスク１のグルーブ１１上を光スポットＳが通過して、アドレス情報を再生する場合を示し、図９（ａ）（ｂ）は、光ディスク１のランド１２上を光スポットＳが通過してアドレス情報を再生する場合を示している。
【００４９】
さらに、図８（ｂ）および図９（ｂ）に示すように、光ディスク１におけるグルーブ１１およびランド１２の幅は０．６μｍ、アドレスエリア１ｂにおけるウォーブル量は±０．１μｍ、ウォーブリング周期は１６．０μｍとする。また、光スポットＳは、直径がグルーブ１１またはランド１２の最大幅（０．７μｍ）よりも大きく、且つ隣接するランド１２またはグルーブ１１に少しはみ出す程度に設定され、その中心が記録用トラックのセンターを通るように移動するように設定されている。
【００５０】
図８（ａ）と図９（ａ）とでは、ｒａｄＰＰとアドレスクロック（Ｄ４−Ｄ３）の極性が異なるだけであり、total 信号は同じ極性を示す。
【００５１】
上述したアドレス情報を含む信号（以下、アドレス信号と称する）は、光スポットＳの領域のうち、光ビーム進行方向Ｐに対して前方にある第１領域ｄ１と第２領域ｄ２とから得られる電圧に基づいたアドレスクロックによりサンプリングされるか、または、光ビーム進行方向Ｐに対して後方にある第３領域ｄ３と第４領域ｄ４とから得られる信号に基づいたアドレスクロックによりサンプリングされるかして再生されるようになっている。
【００５２】
なお、本実施の形態では、図６（ａ）〜図９（ａ）に示すように、アドレス信号としてtotal 信号を示し、アドレスクロックとして、光ビーム進行方向Ｐに対して後方にある第３領域ｄ３と第４領域ｄ４とからの信号Ｄ３、Ｄ４に基づいて得られる信号を用いる。
【００５３】
ところで、上記のように、光スポットＳの光ビーム進行方向Ｐに対して後方にある第３領域ｄ３と第４領域ｄ４とから得られるアドレスクロック（Ｄ４−Ｄ３）は、基準信号に対して位相が所定量ずれるという問題が生じる。この基準信号とは、記録媒体である光ディスク１に予め記録された基準クロック（クロックマーク）を再生することにより得られ、アドレス信号（total 信号）をサンプリングするための上記アドレスクロックを生成するための基準信号となっている。
【００５４】
したがって、上記のアドレスクロックの位相のずれを考慮してアドレス信号をサンプリングしなければ、正確なアドレス信号を得ることができず、結果として、光ディスク１のグルーブ１１あるいはランド１２のデータエリア１ａに対して情報を適切に記録したり、あるいは再生したりすることができないという問題が生じる。
【００５５】
そこで、本実施の形態では、図１に示すような信号処理回路にて正確なアドレス信号を再生するようにしている。
【００５６】
上記信号処理回路は、図１に示すように、信号処理部３、Ａ／Ｄ変換部４、ＰＬＬ（phase locked loop)部５、アドレスクロック生成部６、遅延回路部７で構成されている。
【００５７】
上記信号処理部３は、光ディスク１からの反射光束を光ピックアップ２にて受光して得られた信号からクロックマークの再生信号を生成し、この再生信号をＰＬＬ部５に出力するようになっている。上記クロックマークは、光ディスク１の位相情報を示すものであり、該光ディスク１の所定の位置にプリフォーマットされており、上述したように再生されることにより基準信号となる。
【００５８】
上記ＰＬＬ部５は、信号処理部３からの再生信号を用いて、ビット単位のチャネルクロックを生成し、生成したチャネルクロックをアドレスクロック生成部６に出力するようになっている。
【００５９】
なお、上記のように、クロックマークを光ディスク１にプリフォーマットする方法によってチャネルクロックを生成する必要はなく、例えば光ディスク１の各セクタに記録したＶＦＯ（variable frequency osillator）パターンを再生してチャネルクロック（基準信号）を生成してもよい。
【００６０】
上記アドレスクロック生成部６は、ＰＬＬ部５からのチャネルクロックに基づいてアドレスクロックを生成して、生成したアドレスクロックを遅延回路部７に出力するようになっている。このアドレスクロックに基づいてアドレス信号をサンプリングするようになっている。
【００６１】
上記遅延回路部７は、アドレスクロック生成部６からのアドレスクロックの所定量位相を遅延させた後、このアドレスクロックをＡ／Ｄ変換部４に出力するようになっている。
【００６２】
例えば、図６（ａ）〜図９（ａ）に示すように、光スポットＳの光ビーム進行方向Ｐに対して後方にある第３領域ｄ３と第４領域ｄ４とから得られる信号では、基準信号（チャネルクロック）に対して所定量遅れた位相となっているので、上記遅延回路部７では、予め計算によって得られた基準信号から位相のずれた量に対して、１８０°遅延させることにより、結果として位相を進めて、基準信号の位相に同期してアドレス信号を正確にサンプリングするようになっている。
【００６３】
また、光スポットＳの光ビーム進行方向Ｐに対して前方にある第１領域ｄ１と第２領域ｄ２とから得られる信号では、基準信号に対して所定量進んだ位相となっているので、上記遅延回路部７では、予め計算によって得られた基準信号から位相のずれた量だけ遅延させ、位相を遅らせて、基準信号の位相に同期してアドレス信号を正確にサンプリングするようにする。
【００６４】
また、上記信号処理部３では、上記クロックマークの再生信号を生成する一方、光ディスク１から光ピックアップ２を経て得られた信号から、ウォブルあるいはピットからなるアドレス領域に記録されたアドレス情報を含む信号から再生信号を生成し、生成した再生信号をＡ／Ｄ変換部４に出力するようになっている。
【００６５】
上記Ａ／Ｄ変換部４では、信号処理部３からのアドレス情報を含む信号の再生信号をＡ／Ｄ変換し、デジタル信号に変換された信号を、上記遅延回路部７により遅延されたアドレスクロックによりサンプリングして、アドレス信号として出力するようになっている。
【００６６】
上記の位相のずれ量（遅延量）は、光ディスク１におけるグルーブ１１の深さや、アドレスエリア１ｂに形成されるウォブルのウォーブル量や、ピットの深さによって異なる。また、グルーブ１１の深さや、上記ウォブルのウォーブル量や、ピットの深さが同じ光ディスク１を用いても、半導体レーザ２１から照射される光ビームの波長によっても、上記遅延量は異なる。
【００６７】
したがって、それぞれの場合に応じて遅延量を切り替えるようにすれば、常に、正確なアドレス信号を得ることができる。この遅延量は、例えば記憶手段としてＲＯＭに記憶させる。また、遅延量は、ＲＯＭに記憶させる代わりに、光ディスクに予め記憶させてもよいし、情報の書き換え可能な記憶媒体に記憶させてもよい。
【００６８】
上記遅延量と、グルーブ１１の深さ、アドレスエリア１ｂに形成されるウォブルのウォーブル量との関係について、図１０（ａ）（ｂ）〜図１５（ａ）（ｂ）を参照しながら以下に説明する。ここでは、図６（ａ）（ｂ）に示す条件（グルーブ１１の深さを５０ｎｍ、ウォーブル量を±０．１μｍとした場合）を基準にして、グルーブ１１の深さと、ウォーブル量を変化させた場合とに分けて説明している。
【００６９】
始めに、グルーブ１１のグルーブ深さを変更した場合について、図１０（ａ）（ｂ）〜図１２（ａ）（ｂ）を参照しながら以下に説明する。
【００７０】
図１０（ａ）（ｂ）〜図１２（ａ）（ｂ）は、グルーブ１１の深さを２５ｎｍ、７５ｎｍ、１００ｎｍの場合の光スポットＳの各領域から得られる信号と光ビームの移動距離との関係を示すグラフである。この場合、それぞれのウォーブル量は、±０．１μｍと一定とする。また、光ディスク１に照射する光ビームの波長は、４００ｎｍとする。
【００７１】
上記の各グラフから、光スポットＳの第３領域ｄ３と第４領域ｄ４とから得られる信号（Ｄ４−Ｄ３）のピークが、横軸の基準位置である０点からずれているのが分かる。このずれは、（Ｄ４−Ｄ３）で得られるアドレスクロックが基準信号から位相が所定量ずれていることを示している。そして、この位相のずれ量は、グルーブ１１のグルーブ深さが深くなればなるほど、大きくなっていることが分かる。
【００７２】
したがって、グルーブ１１のグルーブ深さを浅くすれば、上記のずれを小さくすることができるが、グルーブ深さを浅くすればするほど、total 信号の強度が小さくなり、アドレス信号を生成するには実用的でなくなる。このため、total 信号から実用的なアドレス信号を得るためには、ある程度のグルーブ深さが必要であり、このときのアドレスクロックの位相のずれは無視できなくなる。
【００７３】
なお、図１２（ａ）（ｂ）に示すように、グルーブ１１のグルーブ深さが１００ｎｍとなったとき、ｒａｄＰＰとｔａｎＰＰの信号がなくなっている。これは、光ビームの波長（４００ｎｍ）の１／４に相当するためである。
【００７４】
次に、ウォーブル量を変更した場合について、図１３（ａ）（ｂ）〜図１５（ａ）（ｂ）を参照しながら以下に説明する。
【００７５】
図１３（ａ）（ｂ）〜図１５（ａ）（ｂ）は、グルーブ１１のウォーブル量を±０．０５μｍ、±０．１５μｍ、±０．２０μｍの場合の光スポットＳの各領域から得られる信号と光ビームの移動距離との関係を示すグラフである。この場合、それぞれのグルーブ量は、５０μｍと一定とする。また、光ディスク１に照射する光ビームの波長は、４００ｎｍとする。
【００７６】
上記の各グラフから、光スポットＳの第３領域ｄ３と第４領域ｄ４とから得られるアドレスクロック（Ｄ４−Ｄ３）のピークが、横軸の基準位置である０点からずれているのが分かる。このずれは、（Ｄ４−Ｄ３）から得られるアドレスクロックが基準信号から位相が所定量ずれていることを示している。そして、このずれ量は、グルーブ量が変化してもあまり変わらず、ウォーブル量が多くなればなる程、光スポットＳから得られる各信号の強度は強くなっている。逆に、ウォーブル量が少なくなれば、光スポットＳから得られる各信号の強度は弱くなり、実用的なレベルでのアドレス信号を生成することが困難となる。
【００７７】
以上のことから、光ディスク１に光ビームを照射して得られる反射光束を、ホログラム素子２２により、光ビームの進行方向に対して平行な方向で分割すると共に、光ビームの進行方向に直交する方向で分割して得られた４つの光束からアドレス信号を再生する場合には、適切なアドレス信号を得ようとすれば、基準信号に対して必ず位相が所定量ずれることになる。
【００７８】
したがって、上述したように、図１に示すような信号処理回路を用いて、上記のアドレスクロックの位相のずれを予め計算して求めて、この計算結果に基づいて該アドレスクロックの位相を所定量遅延させることにより、アドレス情報を含む再生信号を適切なタイミングでサンプリンして、アドレス信号を再生するようにすればよい。このようにして得られたアドレス信号は、正確なものとなっている。
【００７９】
上記の説明では、ランド／グルーブの両方に情報を記録する光ディスクに対して、赤色レーザ光（波長６５０ｎｍ）よりも波長の短い青色レーザ光（波長４００ｎｍ）を使用した場合の位相量のずれに伴う信号処理について説明したが、上記信号処理回路において適用される信号再生方法を用いれば、上記青色レーザ光よりも波長の短いレーザ光を用いた場合についても同様の処理を行うことで、アドレス信号を正確に再生することができる。
【００８０】
したがって、上記信号処理回路に適用されている信号再生方法は、記録密度の高密度化を図るために上記レーザ光の波長を短くした場合であっても十分に対応させることができる。
【００８１】
しかも、上記アドレスクロックの位相のずれを、使用するレーザ光の波長、光ディスク１のグルーブ１１のグルーブ深さ、ウォーブル量等によって計算で求めることができるので、どのような信号再生装置によっても適用することができる。例えば、現在主流の赤色レーザ光用の光ディスク１を、赤色レーザ光よりも波長の短い青色レーザ光で信号の再生を行った場合のように、アドレスクロックの位相が大きくずれる場合であっても正確にアドレス信号を再生することができる。
【００８２】
なお、本実施の形態では、図４および図５に示すように、グルーブ１１とランド１２との境界線１ｃ上をウォブリングさせてアドレス情報を記録したり、グルーブ１１とランド１２との境界線１ｃ上にピットを形成することでアドレス情報を記録したりする例について説明したが、これに限定するものではなく、アドレス情報をランド／グルーブに対して非対称、すなわち記録用トラックのセンターに対して反射光量が非対称となるようにすれば、どのような方式で記録してもよい。
【００８３】
また、本実施の形態では、図３に示すように、光ディスク１からの反射光束を４分割するホログラム素子２２を使用した光ピックアップ２について説明したが、本発明は、これに限定されるものではなく、光ビームの進行方向に平行、且つ該光ビームの進行方向に直交する方向に複数の光束に分割するホログラム素子を備えた光ピックアップであれば適用可能である。
【００８４】
つまり、少なくとも、光ビームの進行方向に対して、該光ビームの中心よりも前方あるいは後方の何れかにおいて、記録用トラックのセンターに対して左右両側に２つの光束を有するようにすればよい。例えば、ホログラム方式の光ピックアップに一般的に使用されているホログラム素子として、反射光束を３分割にするホログラム素子を使用しても、本発明を適用できる。
【００８５】
反射光束を３分割する場合、例えば、図３に示すホログラム素子２２の第１領域ｄ１と第２領域ｄ２とを一体化したものが考えられる。また、第３領域ｄ３と第４領域ｄ４とを一体化したものも考えられる。
【００８６】
ここで、ホログラム素子２２の第１領域ｄ１と第２領域ｄ２とを一体化した場合は、第３領域ｄ３と第４領域ｄ４との信号Ｄ３およびＤ４を使用して、上述したように、アドレスクロックを（Ｄ４−Ｄ３）とすればよい。
【００８７】
この場合には、ホログラム素子２２の光ビーム進行方向Ｐの後方にある２つの光束から得られる信号（Ｄ３、Ｄ４）に基づいて、上記アドレス信号を検波するようになるので、該アドレス信号を、基準信号よりも位相を進めて検波すればよい。このときの位相を進める量は、光ディスク１のグルーブ深さやウォーブル量、光ビームの波長等によって設定されるものとする。
【００８８】
一方、ホログラム素子２２の第３領域ｄ３と第４領域ｄ４とを一体化した場合は、第１領域ｄ１と第２領域ｄ２との信号Ｄ１およびＤ２を使用して、アドレスクロックを（Ｄ２−Ｄ１）とすればよい。
【００８９】
この場合には、ホログラム素子２２の光ビーム進行方向Ｐの前方にある２つの光束から得られる信号（Ｄ１、Ｄ２）に基づいて、上記アドレス信号を検波するようになるので、該アドレス信号を、基準信号よりも位相を遅らせて検波すればよい。このときの位相を遅らせる量は、光ディスク１のグルーブ深さやウォーブル量、光ビームの波長等によって設定されるものとする。
【００９０】
このように、本発明の信号再生方法では、光ディスクのグルーブ深さやウォーブル量、光ビームの波長等によってアドレスクロックの位相のずれ量が変化するので、この位相のずれ量に応じて上記アドレスクロックの検波を遅らせたり進めたりしている。
【００９１】
本実施の形態では、光ディスク装置において再生される光ディスク１の種類については特に限定していないが、例えば、ＣＤ（compact disc）、ＤＶＤ（digital video disc）−ＲＯＭ等のように記録用トラック幅の異なる複数の光ディスクからの情報の再生を行う場合においても本発明の信号再生方法を適用することができる。
【００９２】
すなわち、本発明の信号再生装置は、例えば、ＣＤ（compact disc）、ＤＶＤ（digital video disc）−ＲＯＭ等のように記録用トラック幅の異なる複数の光ディスクからの情報の再生を同一の光ディスク装置（ディスク記録再生装置）で行う場合にも適用可能である。
【００９３】
つまり、記録用トラック幅が異なれば、アドレス信号再生のためのアドレスクロックの位相もずれるので、光ディスクの種類（ＣＤ、ＤＶＤ−ＲＯＭ等）に応じてアドレス信号の検波するタイミングを変更することにより、正確なアドレス信号を再生することができる。これにより、光ディスクの種類が変更されても、各光ディスク毎に正確なアドレス信号を再生することができる。
【００９４】
本発明の信号再生方法は、トラッキング用のグルーブを有し、このグルーブをアドレス情報に応じて蛇行させた光ディスクにおいて、上記のグルーブの一方だけが蛇行しており、かつ、グルーブの幅の平均値はグルーブ間のランドの幅の平均値に等しくなるように設定されている光ディスクディスク装置において、
記録または再生のための光学系中における、反射光束を分割し、それぞれの光量から、アドレスの信号を得る際に、アドレス情報を含む信号を、基準となる信号から一定量の位相をずらして検波する。
【００９５】
この場合、記録または再生のための光学系中における、反射光束を分割し、それぞれの光量から、アドレスの信号を得る際に、光ビーム進行方向に対し、アドレス情報を取り出す光束が、後方にある場合位相を進めて検波する。つまり、アドレス情報を含む信号の検波に使用する２つの光束の主要部が、上記光ビームの進行方向に対して該光ビームの中心よりも後方にある場合には、上記アドレス情報を含む信号を、上記基準信号よりも位相を進めて検波する。
【００９６】
また、記録または再生のための光学系中における、反射光束を分割し、それぞれの光量から、アドレスの信号を得る際に、光ビーム進行方向に対し、アドレス情報を取り出す光束が、前方にある場合位相を遅らせて検波する。つまり、アドレス情報を含む信号の検波に使用する２つの光束の主要部が、上記光ビームの進行方向に対して該光ビームの中心よりも前方にある場合には、上記アドレス情報を含む信号を、上記基準信号よりも位相を遅らせて検波する。
【００９７】
本発明の信号再生方法は、トラッキング用のグルーブを有し、グルーブ間のランド部分とグルーブとの境界線上にアドレス情報を持つピットを形成し、かつグルーブの幅の平均値はグルーブ間のランドの幅の平均値に等しくなるように設定されている光ディスクディスク装置において、
記録または再生のための光学系中における、反射光束を分割し、それぞれの光量から、アドレスの信号を得る際に、アドレス情報を含む信号を、基準となる信号から一定量の位相をずらして検波する。
【００９８】
この場合、記録または再生のための光学系中における、反射光束を分割し、それぞれの光量から、アドレスの信号を得る際に、光ビーム進行方向に対し、アドレス情報を取り出す光束が、後方にある場合位相を進めて検出する。
【００９９】
また、記録または再生のための光学系中における、反射光束を分割し、それぞれの光量から、アドレスの信号を得る際に、光ビーム進行方向に対し、アドレス情報を取り出す光束が、前方にある場合位相を遅らせて検出する。
【０１００】
【発明の効果】
本発明の信号再生方法は、以上のように、ランドおよびグルーブの少なくとも一方を記録用トラックとし、この記録用トラックのセンターに対して反射光量が非対称となるように、上記ランドとグルーブとの境界線上にアドレス情報に応じて形成されたアドレス領域を有する光ディスクから上記アドレス情報を含む信号からアドレス信号を再生する際に、上記アドレス情報を含む信号を、上記光ディスクの位相情報を含む基準信号から所定量の位相をずらして検波する構成である。
【０１０１】
それゆえ、アドレス情報を含む信号を正しいタイミングで検波できるようになるので、正しいアドレス信号を再生することができる。このように、正しいアドレス信号を再生することにより、光ディスクに対する情報の記録や再生を適切に行うことができるという効果を奏する。
【０１０２】
また、ランドとグルーブの両方を記録用トラックとした場合のように、高密度記録が行われている光ディスクにおいても、光ディスクの位相情報からなる基準信号に対して所定量の位相をずらしてアドレス情報を含む信号を検波することにより、正しいアドレス信号を得ることができる。
【０１０３】
上記アドレス領域を含むランドあるいはグルーブからの反射光を、光ビームの進行方向に平行、且つ該光ビームの進行方向に直交する方向に４分割し、これら４つの光束のうち、光ビームの進行方向に対して前方にある２つの光束、あるいは後方にある２つの光束から得られる信号の何れか一方の信号に基づいて、上記アドレス情報を含む信号を検波してもよい。
【０１０４】
例えば、アドレス情報を含む信号の検波に使用する２つの光束の主要部が、上記光ビームの進行方向に対して該光ビームの中心よりも後方にある場合には、上記アドレス情報を含む信号を、上記基準信号よりも位相を進めて検波すればよい。
【０１０５】
また、アドレス情報を含む信号の検波に使用する２つの光束の主要部が、上記光ビームの進行方向に対して該光ビームの中心よりも前方にある場合には、上記アドレス情報を含む信号を、上記基準信号よりも位相を遅らせて検波すればよい。
【０１０６】
また、上記アドレス領域は、グルーブの一方の側壁のみを蛇行して形成されていてもよい。
【０１０７】
さらに、上記アドレス領域は、グルーブとランドとの境界線のうち隣接する一方の境界線上に形成されたピットであってもよい。
【０１０８】
また、上記の信号処理方法を適用とした信号再生装置としては、以下のようなものがある。
【０１０９】
例えば、上記信号再生装置は、ランドおよびグルーブの少なくとも一方を記録用トラックとし、この記録用トラックのセンターに対して反射光量が非対称となるように、上記ランドとグルーブとの境界線上にアドレス情報に応じて形成されたアドレス領域を有する光ディスクに光ビームを照射して反射光を受光して電気信号に変換する光ピックアップと、上記光ピックアップからの電気信号に基づいて、アドレス情報を含む信号を生成すると共に、上記光ディスクの位相情報からなる基準信号に基づいてアドレスクロックを生成し、このアドレスクロックにより上記アドレス情報を含む信号をサンプリングしてアドレス信号を再生する信号処理回路とを備え、上記信号処理回路は、上記アドレス情報を含む信号を、上記基準信号から所定量の位相をずらしてサンプリングする構成である。
【０１１０】
それゆえ、基準信号から所定量ずらした位相でアドレス情報を含む信号をサンプリングするようになっているので、正しいアドレス信号を再生することができる。これにより、情報の記録または再生を適切に行うことができるという効果を奏する。
【０１１１】
また、本発明の信号再生装置は、例えば、ＣＤ（compact disc）、ＤＶＤ（digital video disc）−ＲＯＭ等のように記録用トラック幅の異なる複数の光ディスクからの情報の再生を同一のディスク記録再生装置で行う場合にも適用可能である。
【０１１２】
すなわち、本願発明の信号再生装置を備え、記録用トラックの幅が異なる複数種類の光ディスクが再生可能なディスク記録再生装置であって、上記光ディスクに記録されたアドレス情報を含む信号のサンプリングのタイミングを、光ディスクの種類に応じて変更すればよい。
【０１１３】
それゆえ、光ディスクの種類（ＣＤ、ＤＶＤ−ＲＯＭ等）が変更されても、各光ディスク毎に正確なアドレス信号を再生することができるという効果を奏する。
【図面の簡単な説明】
【図１】本発明の信号再生方法に適用される信号処理回路の概略構成ブロック図である。
【図２】本発明の信号再生方法に適用される光ピックアップの概略構成図である。
【図３】図２に示す光ピックアップに備えられたホログラム素子による光束の分割状態と、分割した光束を受光するための受光素子との関係を示す説明図である。
【図４】アドレス情報を片側ウォーブルによって記録した光ディスクを示す説明図である。
【図５】アドレス情報をピットによって記録した光ディスクを示す説明図である。
【図６】（ａ）（ｂ）は、光ディスクのアドレスエリアを光ビームが通過する際に得られる信号強度と、上記光ビームの照射位置との関係を示す説明図である。
【図７】（ａ）（ｂ）は、光ディスクのアドレスエリアを光ビームが通過する際に得られる信号強度と、上記光ビームの照射位置との関係を示す説明図である。
【図８】（ａ）（ｂ）は、光ディスクのアドレスエリアを光ビームが通過する際に得られる信号強度と、上記光ビームの照射位置との関係を示す説明図である。
【図９】（ａ）（ｂ）は、光ディスクのアドレスエリアを光ビームが通過する際に得られる信号強度と、上記光ビームの照射位置との関係を示す説明図である。
【図１０】（ａ）（ｂ）は、光ディスクのアドレスエリアを光ビームが通過する際に得られる信号強度と、上記光ビームの照射位置との関係を示す説明図である。
【図１１】（ａ）（ｂ）は、光ディスクのアドレスエリアを光ビームが通過する際に得られる信号強度と、上記光ビームの照射位置との関係を示す説明図である。
【図１２】（ａ）（ｂ）は、光ディスクのアドレスエリアを光ビームが通過する際に得られる信号強度と、上記光ビームの照射位置との関係を示す説明図である。
【図１３】（ａ）（ｂ）は、光ディスクのアドレスエリアを光ビームが通過する際に得られる信号強度と、上記光ビームの照射位置との関係を示す説明図である。
【図１４】（ａ）（ｂ）は、光ディスクのアドレスエリアを光ビームが通過する際に得られる信号強度と、上記光ビームの照射位置との関係を示す説明図である。
【図１５】（ａ）（ｂ）は、光ディスクのアドレスエリアを光ビームが通過する際に得られる信号強度と、上記光ビームの照射位置との関係を示す説明図である。
【符号の説明】
１    光ディスク
２    光ピックアップ
２２    ホログラム素子
２５    受光素子
Ｓ      光スポット
Ｐ      光ビーム進行方向
【図１】
0003660203.tif 000002
【図２】
0003660203.tif 000003
【図３】
0003660203.tif 000004
【図４】
0003660203.tif 000005
【図５】
0003660203.tif 000006
【図６】
0003660203.tif 000007
【図７】
0003660203.tif 000008
【図８】
0003660203.tif 000009
【図９】
0003660203.tif 000010
【図１０】
0003660203.tif 000011
【図１１】
0003660203.tif 000012
【図１２】
0003660203.tif 000013
【図１３】
0003660203.tif 000014
【図１４】
0003660203.tif 000015
【図１５】
0003660203.tif 000016